(57)【要約】【課題】光トランシーバのコネクタハウジングに対する回転方向の位置ずれを極力防止できる光コネクタを提供する。【解決手段】光素子と光素子を覆うケース４とケース４の端子突出面４ａより外部に突出された複数の端子６とを有する光トランシーバ２と、光トランシーバ２を収容する収容室１１を有するコネクタハウジング１０とを備え、ケース４の端子突出面４ａは、平坦な基準面として形成され、収容室１１を形成する面で、且つ、端子突出面４ａが当接する面は、平坦な位置矯正面１１ｂとして形成され、収容室１１を形成する面で、且つ、位置矯正面１１ｂと対向する面には、一対の突起１２が設けられた。【選択図】図２
2015230390.tif 000002
【特許請求の範囲】
【請求項１】
光素子と前記光素子を覆うケースと前記ケースの端子突出面より外部に突出された複数の端子とを有する光トランシーバと、
前記光トランシーバを収容する収容室を有するコネクタハウジングとを備えた光コネクタであって、
前記ケースの前記端子突出面は、平坦な基準面として形成され、
前記コネクタハウジングの前記収容室を形成する面で、且つ、前記ケースの前記端子突出面が当接する面は、平坦な位置矯正面として形成され、
前記コネクタハウジングの前記収容室を形成する面で、且つ、前記ケースの前記端子突出面が当接する面の対向面には、突起が設けられたことを特徴とする光コネクタ。
【請求項２】
請求項１記載の光コネクタであって、
複数の前記端子は、前記端子突出面の長手方向に沿って間隔を置いて配置され、前記コネクタハウジングが搭載基板上に載置された状態では、複数の前記端子の先端部が前記搭載基板に面接触して表面実装されることを特徴とする光コネクタ。
【請求項３】
請求項１又は請求項２記載の光コネクタであって、
前記コネクタハウジングの前記収容室は、相手側コネクタハウジングが装着される側の反対側の面が開口され、前記開口より前記光トランシーバが前記収容室に挿入されることを特徴とする光コネクタ。
【発明の詳細な説明】
【技術分野】
【０００１】
本発明は、相手側フェルールとの間で光伝送を行う光トランシーバを備えた光コネクタに関する。
【背景技術】
【０００２】
図５及び図６には、光コネクタの従来例が示されている（特許文献１参照）。図５及び図６に示すように、光コネクタ１００は、光トランシーバ（ＦＯＴ: Ｆｉｂｅｒ・Ｏｐｔｉｃａｌ・Ｔｒａｎｓｃｅｉｖｅｒ）１０１と、光トランシーバ１０１を収容するコネクタハウジング１１０とを備えている。光トランシーバ１０１は、相手側フェルール（図示せず）との間で光伝送する光素子１０２と、光素子１０２を覆うケース１０３と、ケース１０３の端子突出面１０３ａより外部に突出された複数の端子１０４とを有する。コネクタハウジング１１０の後端側（図５（ｂ）の右側）には、光トランシーバ１０１を収容する収容室１１１が形成されている。収容室１１１には、１面（図５（ｂ）の下面）１１１ａが開口され、光トランシーバ１０１の３面に当接する面が形成されている。コネクタハウジング１１０の前端側（図５（ｂ）の左側）には、光ファイバ１２０の端部が挿入されるフェルールガイド部１１２が形成されている。
【０００３】
上記構成にあって、コネクタハウジング１１０内の収容室１１１の開口された１面（図５（ｂ）の下面）１１１ａより光トランシーバ１０１を挿入する。これにより、光トランシーバ１０１の３面がコネクタハウジング１１０内の収容室１１１に形成される各面に当接するので、光トランシーバ１０１がコネクタハウジング１１０に位置決めされる。その結果、光トランシーバ１０１の光軸は、光ファイバ１２０の光軸Ｃ１と一致し、光ファイバ１２０と光トランシーバ１０１間の光伝達を円滑に行うことができる。
【先行技術文献】
【特許文献】
【０００４】
【特許文献１】特開２０１１−１９７２７５号公報
【発明の概要】
【発明が解決しようとする課題】
【０００５】
ところで、前記従来例にあっては、光トランシーバ１０１をコネクタハウジング１１０内の収容室１１１に挿入可能にするため、収容室１１１の幅寸法Ｗ１を光トランシーバ１０１の横幅（側面間の寸法）Ｗ２より少し大きな寸法にする必要がある。しかしながら、このように収容室１１１の幅寸法Ｗ１が光トランシーバ１０１の横幅Ｗ２より大きいと、この寸法差（Ｗ１−Ｗ２）によって収容された光トランシーバ１０１が回転方向に位置ずれする。
【０００６】
そこで、本発明は、前記した課題を解決すべくなされたものであり、光トランシーバのコネクタハウジングに対する回転方向の位置ずれを極力防止できる光コネクタを提供することを目的とする。
【課題を解決するための手段】
【０００７】
本発明は、光素子と前記光素子を覆うケースと前記ケースの端子突出面より外部に突出された複数の端子とを有する光トランシーバと、前記光トランシーバを収容する収容室を有するコネクタハウジングとを備えた光コネクタであって、前記ケースの前記端子突出面は、平坦な基準面として形成され、前記コネクタハウジングの前記収容室を形成する面で、且つ、前記ケースの前記端子突出面が当接する面は、平坦な位置矯正面として形成され、前記コネクタハウジングの前記収容室を形成する面で、且つ、前記ケースの前記端子突出面が当接する面の対向面には、突起が設けられたことを特徴とする光コネクタである。
【０００８】
複数の前記端子は、前記端子突出面の長手方向に沿って間隔を置いて配置され、前記コネクタハウジングが搭載基板上に載置された状態では、複数の前記端子の先端部が前記搭載基板に面接触して表面実装されることが好ましい。
【０００９】
前記コネクタハウジングの前記収容室は、相手側コネクタハウジングが装着される側の反対側の面が開口され、前記光トランシーバが前記開口より前記収容室に挿入されることが好ましい。
【発明の効果】
【００１０】
本発明によれば、コネクタハウジングの収容室に光トランシーバを挿入すると、コネクタハウジングの収容室に設けられた突起の復帰変形力によってケースの端子突出面がコネクタハウジングの位置矯正面に押圧されるため、光トランシーバがコネクタハウジングに位置決めされた状態で収容される。これにより、光トランシーバのコネクタハウジングに対する回転方向の位置ずれを極力防止できる。
【図面の簡単な説明】
【００１１】
【図１】本発明の一実施形態を示し、光コネクタの分解斜視図である。
【図２】本発明の一実施形態を示し、（ａ）は光コネクタの断面図、（ｂ）は（ａ）のＡ部の拡大図である。
【図３】本発明の一実施形態を示し、（ａ）は光トランシーバの後面図、（ｂ）はコネクタハウジングの後面図である。
【図４】（ａ）は本発明の一実施形態に係る光コネクタの後面図、（ｂ）は比較例に係る光コネクタの後面図である。
【図５】従来例を示し、（ａ）は光コネクタの斜視図、（ｂ）は（ａ）のＢ−Ｂ線に沿う断面図である。
【図６】従来例を示し、図５（ａ）のＣ−Ｃ線に沿う断面図である。
【発明を実施するための形態】
【００１２】
以下、本発明の実施形態を図面に基づいて説明する。
【００１３】
図１〜図４は本発明の一実施形態を示す。図１〜図４に示すように、光コネクタ１は、光トランシーバ２と、光トランシーバ２を収容するコネクタハウジング１０と、コネクタハウジング１０の外周を覆うシールドケース１５とを備えている。
【００１４】
光トランシーバ２は、相手側フェルール（図示せず）が挿入されるフェルール挿入孔３ａを有するスリーブ３と、リードフレーム（図示せず）に搭載され、相手側フェルールとの間で光伝送する光素子（図示せず）と、この光素子を覆うケース４と、ケース４の端子突出面４ａより外部に突出された複数の端子６と、相手側フェルールとケース４間の光経路上に配置される球体状のレンズ７とを備えている。
【００１５】
各スリーブ３は、円筒状に形成され、内部のフェルール挿入孔３ａにレンズ７が固定される。各スリーブ３は、軸心方向に延びるスリット３ｂを有している。
【００１６】
複数の端子６は、ケース４内に埋設されるリードフレーム（図示せず）より延設されている。各端子６は、端子突出面４ａの長手方向に沿って間隔を置いて配置されている。各端子６は、コネクタハウジング１０が搭載基板８上に載置された状態では、各端子６の先端部が搭載基板８に面接触して表面実装されている。
【００１７】
コネクタハウジング１０内の前端側（図２（ａ）の左側）には、前方から相手側コネクタハウジング（図示せず）が装着される。コネクタハウジング１０の収容室１１は、相手側コネクタハウジングが装着される側の反対側（図２（ａ）の右側）の面が開口され、この開口１１ａより光トランシーバ２が収容室１１に挿入される。
【００１８】
ケース４の端子突出面４ａは、平坦な基準面として形成されている。コネクタハウジング１０の収容室１１の底面は、収容室１１を形成する面で、且つ、ケース４の端子突出面４ａが当接する面であり、平坦な位置矯正面１１ｂとして形成されている。コネクタハウジング１０の収容室１１の天井面１１ｃは、収容室１１を形成する面で、且つ、ケース４の端子突出面４ａが当接する面の対向面である。天井面１１ｃには、幅方向の左右対称位置で、且つ、光トランシーバ２の挿入方向に延びる一対の突起１２が設けられている。
【００１９】
次に、光トランシーバ２の組み立て手順を説明する。先ず、各スリーブ３のフェルール挿入孔３ａの先端側にダミーフェルール（図示せず）を挿入し、スリット３ｂを利用してスリーブ３を縮径することによりダミーフェルールの外周に密着させる。これにより、ダミーフェルールの中心軸と同軸のスリーブ３が作製される。このスリーブ３のフェルール挿入孔３ａの後端側に、ダミーフェルールと同一な直径のレンズ７を挿入して接着剤などで固定すると、レンズ７の中心軸とスリーブ３の中心軸が一致するレンズ７付きスリーブ３が作製される。
【００２０】
次に、レンズ７付きスリーブ３及びケース４の組み付け品をコネクタハウジング１０にセットする。その際、コネクタハウジング１０の収容室１１に後側の開口１１ａより光トランシーバ２を収容室１１に挿入し、収容室１１の天井面１１ｃに設けられた一対の突起１２をケース４の上面４ｂに当接させると共に、ケース４の端子突出面４ａを収容室１１の位置矯正面１１ｂに当接させる。これにより、一対の突起１２が圧縮変形するので、その復帰変形力によってケース４の端子突出面４ａがコネクタハウジング１０の収容室１１の位置矯正面１１ｂに押圧される。
【００２１】
このようにして当該光コネクタ１を組み立てた後、コネクタハウジング１０を搭載基板８上に載置し、ケース４の端子突出面４ａから突出する複数の端子６の先端部が搭載基板８に面接触した状態で、当該光コネクタ１を表面実装する。
【００２２】
以上説明したように、光コネクタ１では、コネクタハウジング１０の収容室１１の天井面１１ｃに設けられた一対の突起１２の復帰変形力によってケース４の端子突出面４ａがコネクタハウジング１０の収容室１１の位置矯正面１１ｂに押圧される。従って、光トランシーバ２がコネクタハウジング１０に位置決めされた状態で収容されるため、光トランシーバ２のコネクタハウジング１０に対する回転方向の位置ずれを極力防止できる。
【００２３】
上記したように、光トランシーバ２のコネクタハウジング１０に対する回転方向の位置ずれを極力防止できるため、複数の端子４の底面が同一面上に位置し、光コネクタ１の搭載基板８における実装精度が向上する。
【００２４】
コネクタハウジング１０の収容室１１は、相手側コネクタハウジングが装着される側の反対側の面が開口され、この開口１１ａより光トランシーバ２が収容室１１に挿入されるので、一対の突起１２を圧縮変形させつつ光トランシーバ２を収容室１１に挿入すれば良いため、光トランシーバ２の収容作業が容易である。
【００２５】
この実施形態では、ケース４の前記端子突出面４ａが当接する面の対向面１１ｃには、左右一対の突起１２が設けられているが、ケース４の端子突出面４ａをコネクタハウジング１０の収容室１１の位置矯正面１１ｂに全域に亘って押圧するものであればよい。従って、左右方向に中心位置に配置された幅広の単一の突起１２でも良く、又、３つ以上の突起１２を設けても良い。
【００２６】
図４（ｂ）に示す比較例の光コネクタ１Ａのように、光トランシーバ２のコネクタハウジング１０に対する回転方向の位置ずれＤを生じるものあっては、搭載基板８の取付面に対し複数の端子６の先端部の高さ位置が同じ位置にならないため、光コネクタ１Ａの表面実装の精度が低下する。これに対し、本発明の光コネクタ１では、図４（ａ）に示すように、光トランシーバ２のコネクタハウジング１０に対する回転方向の位置ずれを防止できるので、複数の端子６の先端部の高さ位置に同じ位置になり、すべての端子６の先端部が搭載基板８に面接触した状態で光コネクタ１が表面実装される。
【符号の説明】
【００２７】
１  光コネクタ
２  光トランシーバ
４  ケース
４ａ  端子突出面（基準面）
６  端子
８  搭載基板
１０  コネクタハウジング
１１  収容室
１１ａ  開口
１１ｂ  位置矯正面
１１ｃ  天井面（対向面）
１２  突起
【図１】
2015230390.tif 000003
【図２】
2015230390.tif 000004
【図３】
2015230390.tif 000005
【図４】
2015230390.tif 000006
【図５】
2015230390.tif 000007
【図６】
2015230390.tif 000008